(57)【特許請求の範囲】
【請求項１】
基板を収容する内部空間を区画するとともに、アンテナ取付け端面を有するフレームと、
上記アンテナ取付け端面付近に設けられ、上記アンテナ取付け端面から上記内部空間に向かって形成された複数のアンテナ取付け溝を有するアンテナ取付け部と、
上記アンテナ取付け端面に配置されるアンテナ本体と、このアンテナ本体から突出して形成され、上記複数のアンテナ取付け溝にそれぞれ係合する抜止め片と、上記アンテナ本体から突出して形成され、上記基板に電気的接続される接続片とを有するアンテナと、
上記抜止め片が係合されたアンテナ取付け溝を覆って上記アンテナ取付け部に接合されたアンテナ固定片とを含むことを特徴とするアンテナ付きＩＣカード。
【請求項２】
上記抜止め片は、上記アンテナ取付け端面に垂直な方向に対して所定の角度をなす方向に延びて形成された延長部を有することを特徴とする請求項１記載のアンテナ付きＩＣカード。
【請求項３】
上記抜止め片は、上記アンテナ取付け溝に圧入されていることを特徴とする請求項１または２記載のアンテナ付きＩＣカード。
【請求項４】
上記フレームに取り付けられ、上記基板の上下面をそれぞれ覆う一対のパネルをさらに備え、上記一対のパネルのうちの一方は、同時成形により上記フレームと一体化され、上記フレームの内壁から上記内部空間に向かって突出した第１ロック片を有しており、上記一対のパネルのうちの他方は、上記第１ロック片に上記フレームの内方で係合する第２ロック片を有していることを特徴とする請求項１〜３のいずれか一項に記載のアンテナ付きＩＣカード。
【発明の詳細な説明】
【０００１】
【発明の属する技術分野】
この発明は、アンテナ付きＩＣカードに関する。
【０００２】
【従来の技術】
たとえばノート型パーソナルコンピュータや電子手帳などに代表される携帯情報機器とデスクトップ型パーソナルコンピュータ等とのデータ交換は、一般に、専用ケーブルや赤外線を用いて行われる。
しかしながら、専用のケーブルを用いる場合に、ケーブルを両機器に接続する手間が煩雑である。また、赤外線を用いたデータ通信では通信可能な距離が限られるため、赤外線送受信器同士を近づけなければならないから、ケーブル接続ほど煩雑でないとしても、必ずしも利用の容易なデータ交換手段とは言えない。
【０００３】
そこで、情報機器間を無線接続する方式が提案されている。
【０００４】
【発明が解決しようとする課題】
この無線によるデータ通信のために、無線機能を有するＩＣカードが提案されている。すなわち、このようなＩＣカードを情報機器のＩＣカードスロットに装着することで、ケーブル接続のような煩雑さがなく、しかも、通信距離に対する制限も大幅に緩和された無線データ伝送が実現される。
【０００５】
このようなＩＣカードには、無線通信用のアンテナが備えられる。この場合、アンテナは、カードスロットから露出されることになるＩＣカードの一端面に設けられることが好ましい。そのためには、アンテナの形状は、小型で長尺な薄板状のものであることが好ましい。
一方、良好に通信を行うためには、この小型で長尺な薄板状アンテナは、厳密な寸法精度が要求される。したがって、取付け時や取付け後にアンテナの変形が生じないように、アンテナの取付け構造を工夫することが好ましい。
【０００６】
また、ＩＣカードの端面に取り付けられるアンテナは、ＩＣカードの内部空間に収容されている基板と直接電気的に接続されている必要があるが、ＩＣカード内の限られた空間でこのような接続を達成するためには、アンテナと基板との接続構造が可能な限り簡単であることが好ましい。
そこで、この発明の目的は、上述の課題を解決し、アンテナの変形を防止することにより、良好な通信を実現できるアンテナ付きＩＣカードを提供することである。
【０００７】
【課題を解決するための手段および発明の効果】
上記課題を解決するための請求項１記載の発明は、基板を収容する内部空間を区画するとともに、アンテナ取付け端面を有するフレームと、上記アンテナ取付け端面付近に設けられ、上記アンテナ取付け端面から上記内部空間に向かって形成された複数のアンテナ取付け溝を有するアンテナ取付け部と、上記アンテナ取付け端面に配置されるアンテナ本体と、このアンテナ本体から突出して形成され、上記複数のアンテナ取付け溝にそれぞれ係合する抜止め片と、上記アンテナ本体から突出して形成され、上記基板に電気的接続される接続片とを有するアンテナと、上記抜止め片が係合されたアンテナ取付け溝を覆って上記アンテナ取付け部に接合されたアンテナ固定片とを含むことを特徴とするアンテナ付きＩＣカードである。
【０００８】
ＩＣカードは、一般に、ＩＣが実装された基板と、基板を収容する内部空間を区画するフレームと、基板の上下面をそれぞれ覆う一対のパネルと、情報機器との接続のための接続手段とを有する。この場合、接続手段は、有接点接続により情報機器と電気信号を交換するコネクタであってもよいし、磁気結合により情報機器と信号を授受する無接点型のものであってもよい。
【０００９】
アンテナ本体は、アンテナ取付け端面に沿って延びる長尺なものであってよい。この場合、上記複数のアンテナ取付け溝は、アンテナ取付け端面の長手方向に沿って間隔をあけて形成されていることが好ましい。
また、アンテナ本体は、アンテナ取付け端面の一端から他端まで延びるものであってもよいし、また、アンテナ取付け端面の全長の１／３〜１／２程度の長さのものであってもよい。その他、アンテナ本体の形状や大きさは、必要な通信条件に応じて変えることができ、たとえばアンテナ取付け端面の長手方向に沿って延びる一対の平行な線状体であってもよい。
【００１０】
アンテナの抜止め片とアンテナ取付け溝とは互いに係合するので、互いに整合した形状を有することになる。抜止め片は、アンテナ本体が長尺なものの場合には、少なくともアンテナ本体の両端付近に設けられることが好ましく、アンテナ本体の両端および中央に設けられることがさらに好ましい。
この発明によれば、アンテナの抜止め片がアンテナ取付け溝に係合し、このような係合がアンテナ取付け端面の複数箇所で行われることにより、フレームに対するアンテナの取付けが達成されている。そのため、アンテナ本体が薄板状のものや長尺な形状のものであっても、このようなアンテナ本体に変形が生じることがない。
【００１１】
しかも、アンテナ取付け溝をフレームとは別体のアンテナ固定片により覆う構成であるので、アンテナの取付け時には、開放状態のアンテナ取付け溝にアンテナの抜止め片を嵌め込み、その後にアンテナ固定片をフレームに接合することによって、アンテナ本体に大きなストレスを与えることなくアンテナの取付けを達成できる。そのため、取付け時におけるアンテナ（特にアンテナ本体）の変形も防止できる。
【００１２】
たとえば、アンテナ取付け溝を、ＩＣカードの主面に対してほぼ垂直な方向（アンテナ取付け端面に沿う方向）からアクセスできるように形成しておけば、抜止め片を任意の形状に形成することができるので、抜止めおよびアンテナ変形防止の各機能を効果的に発揮させることができる。
このように、取付け時および取付け後におけるアンテナの変形を防止できるので、良好な通信状態を達成できる。
【００１３】
一方、アンテナ本体からは、基板に電気接続される接続片が突出しているのであるが、フレームに別体のアンテナ固定片を固定することによってアンテナの取付けを達成する構成であるので、接続片は任意の形状を有することができる。これにより、接続片自体に基板上の導体への圧接機能を持たせることなどが可能になり、アンテナと基板との接続構造の簡素化を図ることができる。
【００１４】
たとえば上記接続片は、基板に圧接する圧接片であれば好ましく、特に、弾性変形により圧接力を得るものであれば好ましい。このようにすれば、基板とアンテナとの確実な電気的接続を極めて簡単な構成で達成できる。さらに、この発明の構成では、アンテナの取付け後には、フレーム、アンテナおよびアンテナ固定片の組立体を一部品として取り扱うことができるから、実質的な部品点数が少なく、ＩＣカードを組み立てる際の組立工程を簡単にすることができる。
【００１５】
フレームおよびアンテナ固定片は、それぞれ樹脂によって構成されていることが好ましく、この場合には、フレームとアンテナ固定片との接合は、超音波溶着によって行われることが好ましい。むろん、フレームとアンテナ固定片との接合は、接着などの他の手段によって行われていてもよい。
請求項２記載のアンテナ付きＩＣカードは、請求項１の発明において、上記抜止め片は、上記アンテナ取付け端面に垂直な方向に対して所定の角度をなす方向に延びて形成された延長部を有することを特徴とするものである。
【００１６】
この構成によれば、アンテナ取付け端面に垂直な方向に対して所定の角度をなす延長部の働きにより、アンテナがより強固にアンテナ取付け部に係合する。これにより、アンテナの脱落はもちろん、その変形を確実に防止できる。
上記所定の角度は、約９０度とされることが好ましい。これにより、アンテナの脱落および変形をより確実に阻止できる。
【００１７】
また、上記複数の抜止め片のうちの少なくとも一対の抜止め片（隣接するものでもよく、隣接していない一対の抜け止め片であってもよい。）に形成された延長部は、異なる方向に向かって形成されていることが好ましい。これにより、アンテナの取付けをより強固にできる。
より具体的には、抜止め片は、アンテナ本体からＩＣカードの内部空間に向かって延びた基端部をさらに有していて、この基端部の先端に上記延長部が屈曲して形成されたものであってもよい。
【００１８】
請求項３記載のアンテナ付きＩＣカードは、請求項１または２記載の発明において、上記抜止め片は、上記溝に圧入されていることを特徴とするものである。この発明によれば、抜止め片がアンテナ取付け溝に圧入されるので、抜止め片とアンテナ取付け溝とはがたのない状態で係合する。したがって、アンテナ本体がアンテナ取付け端面上でスライドしたりすることもなく、また、アンテナ本体の変形もより確実に防止できる。
【００１９】
請求項４記載のアンテナ付きＩＣカードは、請求項１ないし３のいずれかの発明において、上記フレームに取り付けられ、上記基板の上下面をそれぞれ覆う一対のパネルをさらに備え、上記一対のパネルのうちの一方は、同時成形により上記フレームと一体化され、上記フレームの内壁から上記内部空間に向かって突出した第１ロック片を有しており、上記一対のパネルのうちの他方は、上記第１ロック片に上記フレームの内方で係合する第２ロック片を有していることを特徴とするものである。
【００２０】
この構成によれば、アンテナが組み込まれたフレームと第１パネルとは、一部品として取り扱える。このため、部品点数をさらに減らすことができ、これによって、アンテナ付きＩＣカードの組立てが簡単に行える。
また、第１パネルが同時成形によってフレームと一体化されているため、第１パネルの第１ロック片のフレームの内壁からの突出量を精度良く規定でき、かつ、第１および第２のロック片の係合時における第１パネルの弾性変形量はわずかであり、したがって、第１ロック片の変位も少ない。よって、第１および第２ロック片の係合時の位置合わせが容易であり、また、第１ロック片と第２ロック片との係合を容易にかつ確実に行える。
【００２１】
【発明の実施の形態】
以下では、この発明の実施の形態を、添付図面を参照して詳細に説明する。この実施形態では、この発明をＣＦカードに適用した場合について説明するが、この発明は、ＰＣカード、スモールＰＣカードなどの他の規格に従うＩＣカードにも適用することができる。
【００２２】
図１は、この発明の一実施形態にかかるアンテナ付きＣＦカード１の構成を示す分解斜視図である。図１を参照して、アンテナ付きＣＦカード１は、プリント基板２と、プリント基板２の前端に取り付けられて基板組立体５を構成するコネクタ３と、アンテナ付きＣＦカード１の内部空間を区画し、基板組立体５を保持するフレーム４と、基板組立体５の上面を覆うための第１パネル６と、基板組立体５の下面を覆うための第２パネル７とを備えている。第１パネル６は、アンテナ付きＣＦカード１の通常の使用状態において上側に位置するものであり、フレーム４と同時成形により一体化されてフレームパネルアセンブリ８が構成されている。また、フレーム４の後端面１２ｄ（アンテナ取付け端面）には、長尺なアンテナ１０が設けられている。このアンテナ付きＣＦカード１は、たとえば携帯情報機器のＣＦカード用スロットに挿入されて、デスクトップ型パーソナルコンピュータ、他の携帯情報機器およびプリンタ等との無線データ通信を行うものである。
【００２３】
コネクタ３は、ＣＦカード用スロット（図示しない）とプリント基板２との電気接続に用いられるものであり、側部に一対の第１の突起９，９を備えている。以下では、ＣＦカード用スロットに接続されるコネクタ３側を前方として説明する。
コネクタ３には、後方に突出する複数の接触子（図示しない）が配置されており、これらは、プリント基板２の底面に半田付けされている。コネクタ３のプリント基板２への取付けは、この半田付けにより達成される。
【００２４】
図２は、フレームパネルアセンブリ８の底面図である。フレームパネルアセンブリ８は、上述のように、略矩形の導電性プレートからなる第１パネル６を、同時成形によりフレーム４と一体化したものであり、たとえば、第１パネル６上でフレーム４が射出成形されて設けられたものである。
フレーム４は、略コの字状を有していて、その内方にアンテナ付きＣＦカード１の内部空間を区画している。このフレーム４は、対向する一対の側杆１１，１１と、各側杆１１の後端同士を連結する後端杆１２（図３参照）とを備えている。
【００２５】
各側杆１１の先端には、内方に向かって突出する係合突起１３が形成されている。この一対の係合突起１３，１３は、基板組立体５をフレームパネルアセンブリ８内に収容する際に、コネクタ３の第１の突起９，９と係合してコネクタ３を保持するものである。
各側杆１１の中央よりやや前方寄りの位置には、内方に向かって突出する第２の突起１４が設けられている。また、各側杆１１の中央部よりやや後方寄りの位置には、第３の突起１５が設けられている。各側杆１１の後端には、第４の突起１６が設けられている。この第２〜第４の突起１４，１５，１６の上面には、プリント基板２を保持するための係止部１４ａ，１５ａ，１６ａが形成されている。各側杆１１の後端近傍には、第１導通部１７が設けられている。この第１導通部１７は、第１パネル６から下方に延びる金属片を側杆１１に巻き付けたものである。
【００２６】
また、各フレーム４の側杆１１には、間隔をあけて二箇所に、第１ロック片２２が設けられている。
フレーム４の後端杆１２にはアンテナ１０が取り付けられており、この後端杆１２は、下方からアンテナ固定片５２によって覆われている。
図３は、フレームパネルアセンブリ８の分解底面図である。図２および図３を参照して、フレーム４の後端杆１２の下面１２ａ（アンテナ取付け部）は、一端１２ｂから他端１２ｃまでの全域にわたり、側杆１１の下面１１ａよりも低い段部をなしている。この後端杆１２の下面１２ａには、アンテナ本体収容溝６２および複数のアンテナ取付け溝６３が設けられており、また、位置決め孔６５および位置決め溝６６がそれぞれ複数設けられている。
【００２７】
アンテナ本体収容溝６２は、後端面１２ｄに沿って、一端１２ｂ付近から他端１２ｃ付近まで延びて形成されている。そして、アンテナ取付け溝６３は、アンテナ本体収容溝６２から内方へと向かって形成されており、アンテナ本体収容溝６２の長手方向に沿って間隔を開けて配置されている。より具体的には、アンテナ取付け溝６３は、アンテナ本体収容溝６２の両端付近および中央付近にそれぞれ一対ずつ設けられている。
【００２８】
アンテナ１０は、長尺なアンテナ本体５５と、アンテナ本体５５から突出して形成された複数（この実施形態ではたとえば６個）の抜止め片５６と、アンテナ本体５５から突出して形成された接続片５７とを備えている。接続片５７は、前方へ延びる弾性片であり、接続片５７の先端部には、下方に凸に湾曲する圧接部６０が設けられている。複数の抜止め片５６は、アンテナ本体５５の長手方向に沿って間隔を開けて形成されている。すなわち、アンテナ本体５５の両端付近および中央付近にそれぞれ一対ずつ設けられている。
【００２９】
図４は、アンテナ１０を後端杆１２に取り付けた状態を示す拡大底面図である。抜止め片５６は、アンテナ本体５５の一部を前方へ切り起して設けたものである。抜止め片５６は、アンテナ本体５５からアンテナ付きＣＦカード１の内部空間に向かって延びた基端部５８と、この基端部５８の先端５８ａから屈曲して形成された延長部５９とを有している。この延長部５９は、基端部５８に対してほぼ９０°屈曲している。隣接する一対の抜止め片５６の各延長部５９は、交互に反対方向を向いており、一対の抜止め片５６は「ハ」字形をなしている。上記アンテナ取付け溝６３は、抜止め片５６と整合する形状にされている。この抜止め片５６は、アンテナ付きＣＦカード１の主面にほぼ垂直な方向からアンテナ取付け溝６３に圧入されている。
【００３０】
図５（ａ）は、アンテナ固定片５２を後方から見た図であり、図５（ｂ）は、図５（ａ）の切断線Ａ−Ａでとった断面図である。
アンテナ固定片５２は、断面が略矩形の長尺部材であり、樹脂によって構成されている。アンテナ固定片５２の上面５２ａには、第１位置決め突起８１および第２位置決め突起８２がそれぞれ複数設けられている。この第１の位置決め突起８１の先端は、円錐形状にされており、第２の位置決め突起８２は断面三角形状の突条をなしている。
【００３１】
また、アンテナ固定片５２の前面５２ｂには、回動係合片用溝２０が設けられており、上面５２ａの後端には、アンテナ本体５５の下縁を受けいれる段部８３が形成されている。
アンテナ固定片５２は、フレーム４にアンテナ１０が取り付けられた後に、上記アンテナ取付け溝６３を覆うように被せられる。この際に、第１の位置決め突起８１および第２の位置決め突起８２は、それぞれ上記位置決め孔６５および上記位置決め溝６６に嵌められて、アンテナ固定片５２のフレーム４に対する位置決めが行われる。その後、超音波溶着によってアンテナ固定片５２をフレーム４に接合させる。これによって、アンテナ１０が組み込まれたフレーム４が得られる。こうして、アンテナ１０が組み込まれたフレーム４は、一部品として取り扱うことができる。
【００３２】
図６は、図２の切断線Ｂ−Ｂでとった断面図である。アンテナ１０がフレーム４に取り付けられ、アンテナ固定片５２が後端杆１２に接合された状態では、接続片５７は、後端杆１２とアンテナ固定片５２との間を通ってフレーム４の内方へと導かれており、その先端部に設けられた圧接部６０がプリント基板２の取付け位置まで延びることになる。
【００３３】
次に、第２パネル７について説明する。
図７（ａ）は、第２パネル７の構成を示す平面図であり、図７（ｂ）は、図７（ａ）の矢印Ｒ方向から見た第２パネル７の側面図である。
第２パネル７は、導電性プレートからなっている略矩形の板状体である。第２パネル７は、後端辺７ｂに、一対の回動係合片３２，３２を備えている。一対の回動係合片３２，３２は、後端辺７ｂに沿ってそれぞれ所定幅を有しており、フレーム４に形成された回動係合片用溝２０とそれぞれ整合する形状にされている。
【００３４】
また、各側辺７ａには、二箇所において、第２ロック片３４，３４が形成されている。また、各側辺７ａの後端近傍には、上方に向かって延びる第２導通部３５が設けられている。
図８は、図２の切断線Ｃ−Ｃでとった断面図である。
第１パネル６の第１ロック片２２は、第１パネル６の側縁から、アンテナ付きＣＦカード１の内方に向かって垂下し、側杆１１の内部に入り込んだ垂下部２３と、垂下部２３の先端縁２３ａから内方に向けて折り曲げられて構成されたロック爪２４とを備えている。このようにして、第１ロック片２２は、上記フレーム４の側杆１１内に植設されており、ロック爪２４の先端部２４ａが、側杆１１の内壁１１ｂからほぼ垂直にアンテナ付きＣＦカード１の内部空間に突出している。第１パネル６とフレーム４とは同時成形により一体化されているので、ロック爪２４の内壁１１ｂからの突出量は、精度良く規定されている。
【００３５】
フレームパネルアセンブリ８および第２パネル７が結合されたときには、第１ロック片２２は、第２パネル７に設けられた第２ロック片３４と、フレーム４の内側で係合し、これによって、両パネル６，７が結合される。
一方、第２パネル７の第２ロック片３４は、第２パネル７の側辺７ａからフレーム４の側杆１１の内壁１１ｂに沿って上方（アンテナ付きＣＦカード１の内方に向かう方向）に屈曲成形されて構成された立上部４１と、立上部４１の先端４１ａからフレーム４の内方に向けて斜めに延び、上記ロック爪２４を案内するための案内部４２と、立上部４１に形成された係合孔４３とを備えており、全体として弾性部材をなしている。
【００３６】
次に、アンテナ付きＣＦカード１の組立て手順について説明する。
図９を参照して、まず、フレームパネルアセンブリ８が裏返しにされた状態で、第２，第３および第４の突起１４，１５，１６の係止部１４ａ，１５ａ，１６ａに、プリント基板２が嵌め合わされて、基板組立体５がフレーム４に保持される。
【００３７】
その後、フレームパネルアセンブリ８を一方の手に持ち、他方の手で第２パネル７を斜方よりフレームパネルアセンブリ８にあてがって、第２パネル７の一対の回動係合片３２，３２を、フレーム４の後端杆１２に形成された回動係合片用溝２０に係合させる。
そして、作業者は、第１および第２パネル６，７を両手の手指で挟みつけるようにして、第２パネル７をフレーム４に向けて押し付ける。これにより、第１ロック片２２と第２ロック片３４とがフレーム４の内方でスナップ結合して、第１および第２パネル６，７が結合される。
【００３８】
第２パネル７と第１パネル６との結合が達成される際には、図６に示すように、プリント基板２が、第２パネル７と当接して内方に押圧される。上述のように圧接部６０がプリント基板２の取付け位置まで延びているので、プリント基板２が、接続片５７の圧接部６０を上方へと弾性的に押圧するようになる。このため、圧接部６０はプリント基板２と接触しつつ上方へと弾性変形し、この弾性力によって圧接部６０はプリント基板２に圧接するようになる。これによって、プリント基板２とアンテナ１０とのより確実な電気接続が得られる。
【００３９】
再び、図８を参照して、第１パネル６と第２パネル７とを互いに圧接させると、案内部４２が対応するロック爪２４を係合孔４３に案内する。このとき、第２パネル７の立上部４１の近傍の部位および案内部４２は、フレーム４の内方に弾性変形する。一方、上記側杆１１に植設されている第１ロック片２２はほとんど変形することがない。このため、第１および第２ロック片２２，３４を高精度で位置合わせできる。その後、内方へ延びるロック爪２４が係合孔４３に収容されると、内方へ弾性変形していた第２パネル７の立上部４１および案内部４２が、元の形状に復元することになる。
【００４０】
第１および第２ロック片２２，３４の位置合わせが精度良く行われており、また第１ロック片２２はほとんど変形しないので、両者の係合は容易にかつ確実に行える。
また、第１および第２パネル６，７およびフレーム４が結合された状態では、第２パネル７に形成された第２導通部３５が、対向する第１パネル７の第１導通部１７と当接し、両パネル６，７間の安定した電気導通が得られる。
【００４１】
以上のように、この実施形態では、アンテナ取付け溝６３に抜止め片５６を圧入して係合し、このような係合をアンテナ本体５５の長手方向に沿って複数箇所において行うことにより、アンテナ１０が後端杆１２に取り付けられている。そのため、アンテナ本体５５は、がたつくことも、変形することもないから、良好な通信状態を達成できる。
【００４２】
しかも、アンテナ付きＣＦカード１の主面に垂直な方向から抜止め片５６をアンテナ取付け溝６３に圧入する構成であるので、抜止め片５６および接続片５７の形状に対する制限が少なく、これらはほぼ理想的な形状を有することができる。すなわち、この実施形態では、複数の抜止め片５６は、隣接するもの同士が互いに反対方向に向けられた延長部５９を有していて、確実な抜止めを図ることができる形状を有している。また、接続片５７は、弾性変形してプリント基板２に圧接する圧接部６０を有する形状とされていて、アンテナ１０とプリント基板２との電気接続を極めて簡単な構成で達成している。
【００４３】
また、アンテナ取付け溝６３に抜止め片５６を圧入したうえでアンテナ固定片５２をフレーム４に接合する構成であるので、アンテナ１０の取付け時にアンテナ本体５５に大きなストレスがかかることがなく、このアンテナ本体５５の変形が生じにくい。したがって、アンテナ１０の取付け時および取付け後のいずれにおいてもアンテナ本体５５の変形が生じにくいため、良好な通信状態を確実に達成できる。
【００４４】
さらに、アンテナ１０が組み込まれたフレーム４を実質的に一部品として取り扱うことができるので、アンテナ１０とフレーム４を別品とする場合と比較して、部品点数を減らすことができる。これによって、アンテナ付きＣＦカード１の組立てがより簡単になる。
特にこの実施形態のように、第１パネル６とフレーム４とが同時成形により一体化されていれば、第１パネル６とフレーム４とが一部品として取り扱えるので、アンテナ付きＣＦカード１を組み立てる際には、プリント基板２、フレームパネルアセンブリ８、および第２パネル７との三部品として扱うことができる。このように、部品点数を減らすことができ、これによって、アンテナ付きＩＣカード１の組立てを簡単に行うことができる。
【００４５】
以上、この発明の一の実施形態について説明したが、この発明は他の形態でも実施することができ、特許請求の範囲に記載された事項の範囲で種々の設計変更を施すことが可能である。
【図面の簡単な説明】
【図１】本発明の一実施形態にかかるアンテナ付きＣＦカードの分解斜視図である。
【図２】フレームパネルアセンブリの底面図である。
【図３】フレームパネルアセンブリの分解底面図である。
【図４】アンテナを後端杆に取り付けた状態を示す拡大底面図である。
【図５】アンテナ固定片を説明するための図である。
【図６】図２の切断線Ｂ−Ｂでとった断面図である。
【図７】第２パネルの構成を説明するための図である。
【図８】図２の切断線Ｃ−Ｃでとった断面図である。
【図９】アンテナ付きＣＦカードの組立てを説明するための断面図である。
【符号の説明】
１  アンテナ付きＣＦカード（アンテナ付きＩＣカード）
２  プリント基板（基板）
３  コネクタ
４  フレーム
６  第１パネル
７  第２パネル
１０  アンテナ
１２ａ  下面（アンテナ取付け部）
１２ｄ  後端面（アンテナ取付け端面）
２２  第１ロック片
３４  第２ロック片
５２  アンテナ固定片
５５  アンテナ本体
５６  抜止め片
５７  接続片
５９  延長部
６３  アンテナ取付け溝
【図１】
0004316722.tif 000002
【図２】
0004316722.tif 000003
【図３】
0004316722.tif 000004
【図４】
0004316722.tif 000005
【図５】
0004316722.tif 000006
【図６】
0004316722.tif 000007
【図７】
0004316722.tif 000008
【図８】
0004316722.tif 000009
【図９】
0004316722.tif 000010